(57)【要約】【課題】人体の形状に沿った立体的なニットパンツを生産性良く編成することができるニットパンツの編成方法を提供する。【解決手段】右脚股側境界２１と右脚外側境界２９の両方が一方の針床ＦＢに配置された状態となった右脚部２を完成させると共に、左脚股側境界３１と左脚外側境界３９の両方が一方の針床ＦＢに配置された状態となった左脚部３を完成させる。一方の針床ＦＢにおける右前接合領域Ｒ１と、一方の針床ＦＢにおける左前接合領域Ｒ２と、を接合すると共に、他方の針床ＢＢにおける右前接合領域Ｒ１と同じ幅の右後接合領域Ｒ３と、他方の針床ＢＢにおける左前接合領域Ｒ２と同じ幅の左後接合領域Ｒ４と、を接合する。【選択図】図３
2015105456.tif 000002
【特許請求の範囲】
【請求項１】
前後に対向する一方の針床と他方の針床とを備える横編機を用いて、右前編地および右後編地を筒状に繋げた右脚部と、左前編地および左後編地を筒状に繋げた左脚部と、胴前編地および胴後編地を筒状に繋げた胴部と、を備えるニットパンツを編成するニットパンツの編成方法であり、
前記右脚部と前記左脚部とを、前記一方の針床と前記他方の針床とを用いて筒状に編成する工程αと、
前記工程αの後に、前記右前編地と前記左前編地とを接合することで前襠を形成すると共に、前記右後編地と前記左後編地とを接合することで前記前襠よりも長い後襠を形成する工程βと、
前記工程βの後に、前記胴部を、前記一方の針床と前記他方の針床とを用いて筒状に編成する工程γと、
を備えるニットパンツの編成方法において、
前記工程αでは、前記右前編地と前記右後編地との境界である右脚股側境界と右脚外側境界の両方が前記一方の針床に配置された状態となった前記右脚部を完成させると共に、前記左前編地と前記左後編地との境界である左脚股側境界と左脚外側境界の両方が前記一方の針床に配置された状態となった前記左脚部を完成させ、
前記工程βでは、前記一方の針床における前記右脚部の股側端部編目から前記右脚股側境界よりも外側の位置にある編目までを含む右前接合領域と、前記一方の針床における前記左脚部の股側端部編目から前記左脚股側境界よりも外側の位置にある編目までを含む左前接合領域と、を接合すると共に、前記他方の針床における前記右前接合領域と同じ幅の右後接合領域と、前記他方の針床における前記左前接合領域と同じ幅の左後接合領域と、を接合するニットパンツの編成方法。
【請求項２】
前記工程αにおいて、引き返し編成を用いて、前記右後接合領域および前記左後接合領域の少なくとも一部に、股側から外側に向かって徐々にウエール方向高さが高くなる傾斜を形成する請求項１に記載のニットパンツの編成方法。
【請求項３】
前記工程αにおいて、
前記右脚部の編成開始から終了までの間、前記一方の針床に係止される前記右脚部の編目のうち、股側とは反対側の端部にある外側端部編目を基準とした前記右脚外側境界の相対的な位置を変化させず、
前記左脚部の編成開始から終了までの間、前記一方の針床に係止される前記左脚部の編目のうち、股側とは反対側の端部にある外側端部編目を基準とした前記左脚外側境界の相対的な位置を変化させない請求項１または請求項２に記載のニットパンツの編成方法。
【発明の詳細な説明】
【技術分野】
【０００１】
本発明は、横編機を用いたニットパンツの編成方法に関する。
【背景技術】
【０００２】
横編機を用いてニットパンツを編成することが従来から行われている。例えば特許文献１には、ニットパンツの股の位置に襠を形成するニットパンツの編成方法が開示されている。特許文献１の編成方法は、右脚部の前編地（右前編地）と左脚部の前編地（左前編地）とを接合することで形成した前襠よりも、右脚部の後編地（右後編地）と左脚部の後編地（左後編地）とを接合することで形成した後襠を長くすることで、人体の形状に沿ったニットパンツを編成する編成方法である。
【０００３】
右脚部２と左脚部３とを接合した後、胴部４を編成する特許文献１に記載のニットパンツの編成方法の編成工程の概略を図５に基づいて説明する。図５のＳ＋数字は編成工程の番号を示す。この図５に示すように、特許文献１の編成方法では、各脚部２，３における前編地と後編地との二つの境界のうち、股側境界Ｙ（特許文献１では接合側境界）が一方の針床に配置され、外側境界Ｘ（特許文献１では基準側境界）が前針床（ＦＢ）と後針床（ＢＢ）との間に配置された状態で、両脚部２，３を編成している（Ｓ１，Ｓ２を参照）。そして、両脚部２，３の接合前に、回し込みによって右脚部２を反時計回りに，左脚部３を時計回りに回転させて、外側境界ＸがＦＢに配置された状態とし（Ｓ３を参照）、両脚部２，３を接合している（Ｓ４を参照）。その接合の際、Ｓ３の矢印に示すように、ＦＢ側で前襠を形成し、ＢＢ側で前襠よりも長い後襠を形成すると共に、ＦＢからＢＢに編目を回し込んで、ＦＢに係止される編目の数と、ＢＢに係止される編目の数と、を揃えている（Ｓ４を参照）。両脚部２，３の接合前の回し込みの量は、両脚部２，３の接合が終了したときに、外側境界ＸがＦＢとＢＢとの間に配置される量としている（Ｓ４参照）。そうすることで、接合された両脚部２，３に続いて胴部４を編成するＳ５において、胴部４の編幅方向端部の編目を回し込む必要がないため、回し込みに伴う捻れ目の発生を考慮することなくニットパンツを編成できる。
【先行技術文献】
【特許文献】
【０００４】
【特許文献１】特開２００６−１５２５１６号公報
【発明の概要】
【発明が解決しようとする課題】
【０００５】
特許文献１のニットパンツの編成方法には、ニットパンツの生産性の点で改良の余地がある。特に、特許文献１の編成方法では、右脚部と左脚部との接合前に両脚部の回し込みを行っており、また両脚部の接合の際にも一方の針床に係止される編目の数と他方の針床に係止される編目の数とを揃えるために両脚部の回し込みを行っている。これらの回し込みがニットパンツの生産性を向上させる上での制約になっている。回し込みを行うには、ラッキングと目移しとを複数回行う必要がある上、右脚部と左脚部の回し込み方向が異なるため、両脚部を同時に回し込むことができないからである。加えて、回し込みを行う場合、回し込まれる編目を予め捻っておくことが好ましいが、給糸口の蹴り返しが必要な捻れ目の形成は非常に手間がかかるという問題もある。
【０００６】
また、特許文献１では、胴部における胴前編地と胴後編地とにサイズ差を設けることを想定していないため、胴部の形状が人体の形状からずれた形状となり易い。そのため、胴部のフィット性は、専ら胴部の伸縮性に依存したものとなる。仮に胴前編地と胴後編地とにサイズ差を設ける場合、増やしや減らしを行うことになるが、そうした場合、前後の針床に係止される編目の数に差を生じる。その結果、前後の針床に係止される編目の数を揃えるために、回し込みを行う必要が生じる。
【０００７】
本発明は上記事情に鑑みてなされたもので、その目的の一つは、人体の形状に沿った立体的なニットパンツを生産性良く編成することができるニットパンツの編成方法を提供することにある。
【課題を解決するための手段】
【０００８】
本発明は、前後に対向する一方の針床と他方の針床とを備える横編機を用いて、下記構成を備えるニットパンツを編成するニットパンツの編成方法であり、下記工程α〜工程γを備えるニットパンツの編成方法に係る。
『右前編地および右後編地を筒状に繋げた右脚部と、左前編地および左後編地を筒状に繋げた左脚部と、胴前編地および胴後編地を筒状に繋げた胴部と、を備えるニットパンツ』
『右脚部と左脚部とを、一方の針床と他方の針床とを用いて筒状に編成する工程α』
『工程αの後に、右前編地と左前編地とを接合することで前襠を形成すると共に、右後編地と左後編地とを接合することで前襠よりも長い後襠を形成する工程β』
『工程βの後に、胴部を、一方の針床と他方の針床とを用いて筒状に編成する工程γ』
【０００９】
本発明のニットパンツの編成方法は、上記工程αと工程βを次のように行うことを特徴とする。
［工程α］…右前編地と右後編地との境界である右脚股側境界と右脚外側境界の両方が一方の針床に配置された状態となった右脚部を完成させると共に、左前編地と左後編地との境界である左脚股側境界と左脚外側境界の両方が一方の針床に配置された状態となった左脚部を完成させる。
［工程β］…工程βでは、一方の針床における右脚部の股側端部編目から右脚股側境界よりも外側（股側とは反対側）の位置にある編目までを含む右前接合領域と、一方の針床における左脚部の股側端部編目から左脚股側境界よりも外側（股側とは反対側）の位置にある編目までを含む左前接合領域と、を接合すると共に、他方の針床における右前接合領域と同じ幅の右後接合領域と、他方の針床における左前接合領域と同じ幅の左後接合領域と、を接合する。
【００１０】
本発明のニットパンツの編成方法として、工程αにおいて、引き返し編成を用いて、右後接合領域および左後接合領域の少なくとも一部に、股側から外側に向かって徐々にウエール方向高さが高くなる傾斜を形成する形態を挙げることができる。
【００１１】
本発明のニットパンツの編成方法として、工程αにおいて、右脚部の編成開始から終了までの間、一方の針床に係止される右脚部の編目のうち、股側とは反対側の端部にある外側端部編目を基準とした右脚外側境界の相対的な位置を変化させず、左脚部の編成開始から終了までの間、一方の針床に係止される左脚部の編目のうち、股側とは反対側の端部にある外側端部編目を基準とした脚外側境界の相対的な位置を変化させない形態を挙げることができる。
【発明の効果】
【００１２】
本発明のニットパンツの編成方法によれば、ニットパンツの前側部分と後側部分のサイズ差が大きく、前襠の長さと後襠の長さとが異なっているニットパンツの編成において、右脚部と左脚部とを接合する前にも接合する際にも、両脚部の回し込みを行う必要がない。それは、右脚股側境界と左脚股側境界が一方の針床側に配置された状態となるように右脚部と左脚部を編成することで、両脚部を接合して襠を形成する際、一方の針床の接合幅と他方の針床の接合幅を同じとしても、前襠よりも後襠を長くすることができるからである。また、両針床における接合幅が同じであれば、一方の針床における編目の数と他方の針床における編目の数とを揃えるための回し込みは必要なくなる。このように、ニットパンツの編成過程で煩雑な回し込みを省略してニットパンツを編成できるので、ニットパンツを生産性良く編成することができる。
【００１３】
引き返し編成によって接合領域に傾斜を形成する本発明のニットパンツの編成方法によれば、より立体的で人体の形状に沿ったニットパンツを編成することができる。また、引き返し編成を行うことによってニットパンツの前側部分と後側部分とに容易にサイズ差を形成することができる。このように、襠の形成位置に引き返し編成を適用する技術思想は今までにない技術思想である。
【００１４】
両脚部の外側境界の位置を不変とした本発明のニットパンツの編成方法によれば、両脚部の編成効率を向上させることができる。脚部の外側境界を不変とすれば、脚部の編幅を型紙に沿って増していくだけで、股側境界が一方の針床側に配置された脚部を編成することができるからである。
【図面の簡単な説明】
【００１５】
【図１】（Ａ）は実施形態１に示すニットパンツの概略図、（Ｂ）は（Ａ）のＢ−Ｂ断面概略図である。
【図２】実施形態１に示すニットパンツの左側部分の型紙を示す概略図である。
【図３】実施形態１のニットパンツの編成工程概略図である。
【図４】ニットパンツにおける襠の形成前に行う前処理の編成概略図である。
【図５】従来のニットパンツの編成方法の編成工程概略図である。
【発明を実施するための形態】
【００１６】
以下、本発明の編地の編成方法の実施形態を図面に基づいて説明する。
【００１７】
＜実施形態１＞
実施形態１では、少なくとも前後に対向する一対の針床を備える２枚ベッド横編機を用いて、図１に示す人体の形状に沿った立体的なニットパンツ１を編成する例を説明する。なお、使用する横編機は、４枚ベッド横編機などであっても良い。
【００１８】
≪全体構成≫
図１（Ａ）に示すニットパンツ１は、着用した際に違和感なく履くことができる立体的な形状を備える。特に、図１（Ｂ）のニットパンツ１のＢ−Ｂ断面図に示すように、ニットパンツ１の前後方向に延びる右脚部２と左脚部３との接合ラインである襠９がニットパンツ１に形成されており、ニットパンツ１の特に腰回りの部分が人体の形状に沿った立体的な形状となっている。
【００１９】
襠９は、図１（Ｂ）に示すように、右前編地２Ｆの一部と左前編地３Ｆの一部とを接合することで形成される前襠９Ｆ（一点鎖線よりも紙面下側の中太線参照）と、右後編地２Ｂの一部と左後編地３Ｂの一部とを接合することで形成される後襠９Ｂ（太線）と、で構成されている。後襠９Ｂは、前襠９Ｆよりも長く形成されており、それによってニットパンツ１のフィット性を向上させている。後襠９Ｂを長くしているのは、人体の臀部が後方に出っ張っているからである。
【００２０】
図１に示すニットパンツ１の型紙を図２に示す。図２には、ニットパンツの左側部分の型紙のみを示しており、右側部分の型紙は、左側部分の型紙とほぼ対称と考えて良い。図中の二点鎖線は、着用時にニットパンツの裾から履き口に向かって真っすぐに伸びるラインであり、例えばスーツなどでは折り目がついているラインである。このライン上に一直線に編目が並んでいると、見栄え・履き心地に優れるニットパンツとなる。
【００２１】
図２の型紙に示すように、本実施形態のニットパンツ１（図１参照）では、前編地に比べて後編地が相対的に大きく形成されている。このように前後差のあるニットパンツ１とすることで、人体の形状に沿った立体的なニットパンツ１とすることができる。
【００２２】
≪編成方法≫
上述したニットパンツ１を編成するにはまず、右脚部２と左脚部３とを、一方の針床と他方の針床とを用いて筒状に編成する（工程αに相当）。次いで、右前編地２Ｆと左前編地３Ｆとを接合することで前襠９Ｆを形成すると共に、右後編地２Ｂと左後編地３Ｂとを接合することで前襠９Ｆよりも長い後襠９Ｂを形成する（工程βに相当）。そして、胴部４を、一方の針床と他方の針床とを用いて筒状に編成する（工程γに相当）。これら工程α〜工程γにより、ニットパンツ１は裾から履き口に向かって編成される。つまり、図１（Ａ）、図２においては、紙面左右方向が編幅方向、紙面上下方向がウエール方向となる。
【００２３】
ニットパンツ１の各部の編成を、図３の編成工程図に基づいて詳細に説明する。図３の左側にあるＳ＋数字は編成工程の番号を、ＦＢは前針床（一方の針床）を、ＢＢは後針床（他方の針床）を示す。ニットパンツに備わる各部の前編地は中太線で、後編地は太線で示し、前編地と後編地との境界は棒線で示している。
【００２４】
Ｓ１には、右脚部２と左脚部３とをそれぞれ独立し筒状に編成し始めた状態が示されている。本例では、右脚部２における右前編地２Ｆと右後編地２Ｂとの境界のうち、股側に配置される右脚股側境界２１がＦＢとＢＢとの間に配置され、股側とは反対側に配置される右脚外側境界２９がＦＢ側に配置されている。つまり、右後編地２Ｂの一部が、ＦＢにおける右前編地２Ｆの外側に配置された状態となっている。同様に、左脚部３における左前編地３Ｆと左後編地３Ｂとの境界のうち、股側に配置される左脚股側境界３１がＦＢとＢＢとの間に配置され、股側とは反対側に配置される左脚外側境界３９がＦＢ側に配置されている。つまり、左後編地３Ｂの一部が、ＦＢにおける左前編地３Ｆの外側に配置された状態となっている。
【００２５】
なお、右脚部２（３）の編成開始時の境界２１，２９（３１，３９）の位置は、Ｓ１に示す位置に限定されるわけではない。境界２１，２９（３１，３９）の位置は、型紙に応じて適宜変更することができる。
【００２６】
Ｓ２には、型紙に応じて両脚部２，３の前編地２Ｆ，３Ｆおよび後編地２Ｂ，３Ｂの編幅を適宜増減した状態が示されている（だいたい膝の位置と考えて良い）。その際、ＦＢに係止される右脚部２（左脚部３）の編目のうち、股側とは反対側の端部にある外側端部編目を基準とした右脚外側境界２９（左脚外側境界３９）の相対的な位置は、変化させないことが好ましい。そうすることで、脚部２，３の編幅を型紙に沿って増していくだけで、右脚部２の右脚股側境界２１と左脚部３の左脚股側境界３１とをＦＢ側に配置することができる。股側境界２１，３１をＦＢに配置することは、後述するように、ニットパンツ１の編成効率の向上に寄与する。
【００２７】
Ｓ３には、さらに両脚部２，３を編成して、両脚部２，３を完成させた状態が示されている。この状態から、Ｓ３の矢印で示すように、右脚部２と左脚部３の近接境界を中心とする所定幅の領域の編目を重ね合わせ、ニットパンツ１の股の位置で両脚部２，３を接合する。具体的には、ＦＢにおける右脚部２の股側端部編目から右脚股側境界２１よりも外側の位置にある編目までを含む右前接合領域Ｒ１と、ＦＢにおける左脚部３の股側端部編目から左脚股側境界３１よりも外側の位置にある編目までを含む左前接合領域Ｒ２と、を接合する。さらに、ＢＢにおける右前接合領域Ｒ１と同じ幅の右後接合領域Ｒ３と、ＢＢにおける左前接合領域Ｒ２と同じ幅の左後接合領域Ｒ４と、を接合する。ＦＢ側とＢＢ側とで接合幅が同じであると、回し込みが必要なくなる。
【００２８】
上記接合領域Ｒ１，Ｒ２の接合、および接合領域Ｒ３，Ｒ４の接合には、重ね目の形成とニットによって接合を行う伏目処理を利用することができる。例えば、右前接合領域Ｒ１に紙面左から編目Ａ，Ｂ，Ｃがあり、左前接合領域Ｒ２に紙面左側から編目Ｄ，Ｅ，Ｆがあるとした場合、編目Ｃと編目Ｄとを重ね合わせ、その重ね目に続く新たな編目Ｇを編成し、その編目Ｇと編目Ｂとを重ね合わせ、その重ね目に続く新たな編目Ｈを編成する。そして、編目Ｈと編目Ｅとを重ね合わせて、その重ね目に続く新たな編目Ｉを編成する、というように左右交互に重ね目の形成とニットとを繰り返すことで接合領域Ｒ１，Ｒ２の接合を行うことができる。接合領域Ｒ３，Ｒ４の接合についても、接合領域Ｒ１，Ｒ２の接合と同様に行うことができる。接合領域Ｒ１，Ｒ２の接合と、接合領域Ｒ３，Ｒ４の接合と、は一つの給糸口を用いて行うこともできるし、異なる給糸口を用いて行うこともできる。
【００２９】
Ｓ４には、襠９を介した両脚部２，３の接合が完了した状態が示されている。ここで、両脚部２，３の接合前に両脚部２，３の後編地２Ｂ，３Ｂの一部がＦＢ側に配置されているため（Ｓ３を参照）、ＦＢ側とＢＢ側とで同じ幅の接合領域を接合したにも拘らず、前襠９Ｆよりも後襠９Ｂを長くすることができる。
【００３０】
以降、接合された両脚部２，３に続いて胴部４を編成する（Ｓ５参照）。胴部４を編成する際は、引き返し編成やＣ字状編成を用いて、胴前編地４Ｆと胴後編地４Ｂの編幅やウエール方向の高さを調整し、人体の腰回りの形状に沿った胴部４を編成すると良い。
【００３１】
ここで、胴部４の編成にあたっては、Ｓ４の右脚外側境界２９（左脚外側境界３９）を胴部の右側境界４２（左側境界４３）として、胴部４を編成することが好ましい。このように、脚部２（３）の境界２９（３９）と胴部４の境界４２（４３）を合わせることで、図２の型紙に示す二点鎖線の位置に一直線に編目が並び、見栄え・履き心地に優れるニットパンツ１を編成することができる。
【００３２】
以上説明した図３に示すニットパンツの編成方法によれば、前襠９Ｆよりも後襠９Ｂが長くなった人体の形状に沿ったニットパンツ１を編成できる。ここで、図３の編成方法では、両脚部２，３の接合前に、両脚部２，３を回転させる回し込みを行っておらず、接合の際にも両脚部２，３のＦＢ側の端部編目をＢＢ側に移す回し込みを行っていない。そのため、特許文献１の編成方法よりも効率良くニットパンツ１を編成できる。
【００３３】
≪編成方法に関する備考≫
図１に示すニットパンツ１における襠９が形成される部分をより人体の形状に沿ったものとするために、襠９の形成前に接合領域Ｒ１〜Ｒ４（図３のＳ３参照）に丸みを持たせても構わない。具体的には、図４の編成概略図の矢印に示すように、右脚部２と左脚部３とを接合する工程βの前（即ち工程α）に、Ｃ字状の引き返し編成を用いて、接合領域Ｒ１〜Ｒ４に、股側から外側に向かって徐々にウエール方向高さが高くなる傾斜を形成する。上記接合領域Ｒ１〜Ｒ４に傾斜を形成しておくことで、接合領域Ｒ１，Ｒ２を接合すると共に、接合領域Ｒ３，Ｒ４を接合するだけで、人体の股の形状に沿った前襠９Ｆと後襠９Ｂを形成できる。この傾斜の角度や傾斜の形成幅を調節することで、前襠９Ｆと後襠９Ｂ（図２参照）の形状を、さらに人体の形状に沿った形状とすることができる。例えば、図２の型紙に示すように、前襠９Ｆに比べて後襠９Ｂの傾斜を緩くすると、履き心地に優れるニットパンツ１となる。
【００３４】
また、襠９の形成前に引き返し編成を行って、ニットパンツ１の後側部分を前側部分よりも多く編成しておくことで、接合領域Ｒ１〜Ｒ４の接合によって襠９を形成するだけで、図２の型紙に示すように、ニットパンツ１の後側部分を前側部分よりも大きく、臀部の突出に対応した形状にすることができる。これに対して、襠９の形成後にニットパンツ１の後側部分を前側部分よりも大きくするために増やしや減らしを利用する場合、引き返し編成のように型紙に沿った形状の編地を編成することが難しい。しかも、増やしや減らしによってＦＢとＢＢに係止される編目の数に差ができた場合、その差を解消するための回し込みを行わなければならない。
【００３５】
ここで、ニットパンツ１の襠９における傾斜の形成状態は、図２に示す状態に限定されるわけではない。例えば、前襠９Ｆに傾斜を形成せず、後襠９Ｂの全体あるいは一部に傾斜を形成しても良い。あるいは、前襠９Ｆの一部と後襠９Ｂの一部に傾斜を形成しても良い。また、傾斜の形成位置は、図３に示す接合領域Ｒ１〜Ｒ４から食み出していても構わない。
【００３６】
なお、本発明のニットパンツの両脚部の長さは特に限定されない。例えば本発明のニットパンツは、ショートパンツやホットパンツなどのような短い脚部を備えるニットパンツであっても良い。
【符号の説明】
【００３７】
ＦＢ  前針床（一方の針床）  ＢＢ  後針床（他方の針床）
１  ニットパンツ
２  右脚部    ２Ｆ  右前編地  ２Ｂ  右後編地
２１  右脚股側境界  ２９  右脚外側境界
Ｒ１  右前接合領域  Ｒ３  右後接合領域
３  左脚部    ３Ｆ  左前編地  ３Ｂ  左後編地
３１  左脚股側境界  ３９  左脚外側境界
Ｒ２  左前接合領域  Ｒ４  左後接合領域
４  胴部    ４Ｆ  胴前編地  ４Ｂ  胴後編地
４２  胴部の右側境界  ４３  胴部の左側境界
９  襠    ９Ｆ  前襠  ９Ｂ  後襠
Ｘ  外側境界    Ｙ  股側境界
【図１】
2015105456.tif 000003
【図２】
2015105456.tif 000004
【図３】
2015105456.tif 000005
【図４】
2015105456.tif 000006
【図５】
2015105456.tif 000007